(57)【特許請求の範囲】
【請求項１】
天板と底壁部との間の空間内に粒状の内容物を収容すると共に、前記天板に取出口が形成された箱型の容器本体と、
前記天板上に重ねられると共に、前記容器本体に対して、前記天板および前記底壁部を通る該容器本体の中心軸である容器軸に直交するスライド方向にスライド移動可能に組み合わされた蓋体と、を備え、
前記蓋体は、前記容器本体に対して前記スライド方向の一方向側にスライド移動させられたときに、前記取出口を開放し、
前記容器本体および前記蓋体には、前記蓋体が開放端位置に移動したときに、互いに当接して前記蓋体の前記容器本体に対する前記一方向側へのスライド移動を規制する規制部が各別に設けられ、
前記容器本体および前記蓋体のいずれか一方には、その平面視において容器軸に直交する直交面に沿って前記スライド方向に交差する方向に延びる弾性係合片が延設されると共に、いずれか他方には、前記蓋体が前記容器本体に対して前記一方向側へスライド移動するときに前記弾性係合片の先端部に乗り越えられる係合突起が配設され、
前記係合突起は、前記スライド方向に間隔をあけて複数配設され、
前記係合突起として、前記蓋体が前記取出口を塞いでいるノーマル位置にあるときに前記蓋体の前記容器本体に対する前記一方向側へのスライド移動を規制する第１係合突起と、前記蓋体が前記開放端位置にあるときに前記蓋体の前記容器本体に対する前記スライド方向の他方向側へのスライド移動を規制する第２係合突起と、を備えていることを特徴とする容器。
【請求項２】
請求項１記載の容器であって、
前記係合突起および前記弾性係合片のうちの少なくとも一方は、前記規制部を兼ねていることを特徴とする容器。
【請求項３】
請求項１または２に記載の容器において、
前記蓋体の天壁部には、指先を引っ掛け可能な側壁部を有し、前記他方向側に開放されている指当て用凹部が形成されていることを特徴とする容器。
【発明の詳細な説明】
【技術分野】
【０００１】
本発明は、粒状の内容物（タブレット状の清涼菓子等）を収容する容器に関するものである。
【背景技術】
【０００２】
この種の容器として、内容物を収容する貯留部と内容物を取り出すための取出部とを有する容器本体と、この容器本体にスライド移動可能に組み合わされ、スライド移動により取出部を開閉する蓋体と、を備えた容器が知られている（特許文献１参照）。
【先行技術文献】
【特許文献】
【０００３】
【特許文献１】特開２００７−２３８１７６号公報
【発明の概要】
【発明が解決しようとする課題】
【０００４】
しかしながら、上記従来の容器では、蓋体が不用意にスライド移動して取出部が開放されてしまうという問題があった。
さらに、上記従来の容器では、蓋体をスライド移動させて取出部から内容物を取り出すときに、やはり蓋体が不用意にスライド移動して取出部を閉塞してしまうという問題もあった。
【０００５】
本発明は、前述した事情に鑑みてなされたものであって、その目的は、取出口が不用意に開放されるのを抑制しつつ、内容物を取り出すときに取出口を確実に開放させることができる容器を提供することである。
【課題を解決するための手段】
【０００６】
上記課題を解決するために、本発明は以下の手段を提案している。
本発明に係る容器は、天板と底壁部との間の空間内に粒状の内容物を収容すると共に、前記天板に取出口が形成された箱型の容器本体と、前記天板上に重ねられると共に、前記容器本体に対して、前記天板および前記底壁部を通る該容器本体の中心軸である容器軸に直交するスライド方向にスライド移動可能に組み合わされた蓋体と、を備え、前記蓋体は、前記容器本体に対して前記スライド方向の一方向側にスライド移動させられたときに、前記取出口を開放し、前記容器本体および前記蓋体には、前記蓋体が開放端位置に移動したときに、互いに当接して前記蓋体の前記容器本体に対する前記一方向側へのスライド移動を規制する規制部が各別に設けられ、前記容器本体および前記蓋体のいずれか一方には、その平面視において容器軸に直交する直交面に沿って前記スライド方向に交差する方向に延びる弾性係合片が延設されると共に、いずれか他方には、前記蓋体が前記容器本体に対して前記一方向側へスライド移動するときに前記弾性係合片の先端部に乗り越えられる係合突起が配設され、前記係合突起は、前記スライド方向に間隔をあけて複数配設され、前記係合突起として、前記蓋体が前記取出口を塞いでいるノーマル位置にあるときに前記蓋体の前記容器本体に対する前記一方向側へのスライド移動を規制する第１係合突起と、前記蓋体が前記開放端位置にあるときに前記蓋体の前記容器本体に対する前記他方向側へのスライド移動を規制する第２係合突起と、を備えていることを特徴とする。
【０００７】
この発明において、取出口が蓋体で塞がれているときには、弾性係合片と係合突起とを互いに係合するように配置することができ、この場合、蓋体の容器本体に対する一方向側へのスライド移動が規制される。これにより、取出口が不用意に開放されるのを抑制することができる。
【０００８】
また、内容物を取り出すために蓋体で塞がれた取出口を開放するときに、蓋体を容器本体に対して一方向側にスライド移動させると、まず、弾性係合片および係合突起が互いに当接し、その後、弾性係合片がスライド方向に弾性変形し、弾性係合片の先端部および係合突起が互いに乗り越えることとなる。
【０００９】
ここで、弾性係合片の先端部および係合突起が互いに乗り越えるときに、弾性係合片が弾性変形するので、聴覚的および触覚的に乗り超えを認識することができる。したがって、蓋体の容器本体に対するスライド移動を、途中でやめることなく、取出口が開放されるまで確実に行うことが可能になり、取出口を確実に開放させることができる。
また、弾性係合片が、直交面上でスライド方向に交差する方向に向けて延設されているので、弾性係合片の先端部がスライド方向に弾性変形しても、容器本体および蓋体が、容器軸方向に互いに離間してしまうことが抑えられる。
【００１０】
さらに、開放された取出口から内容物を取り出すときには、前述のように、弾性係合片の先端部および係合突起が互いに乗り越えていることから、弾性係合片および係合突起が互いに係合することで、蓋体の容器本体に対するスライド方向の他方向側へのスライド移動が規制されることとなる。したがって、蓋体が不用意にスライド移動して取出口を塞いでしまうことが抑制され、取出口が開放された状態を確保することができる。
【００１１】
以上のように、取出口が不用意に開放されるのを抑制しつつ、内容物を取り出すときに取出口を確実に開放させることができる。
【００１３】
また、係合突起が、スライド方向に間隔をあけて複数配設されているので、この容器のように、係合突起として、例えば、蓋体が取出口を塞いでいるときに蓋体の容器本体に対する一方向側へのスライド移動を規制する第１係合突起と、蓋体が取出口を開放しているときに蓋体の容器本体に対する他方向側へのスライド移動を規制する第２係合突起と、を備えることで、前述の作用効果を確実に奏功させることができる。またこのように、第１係合突起と第２係合突起とを備えることで、例えば、スライド方向に長い１つの係合突起を備える場合に比べて、弾性係合片が係合突起を乗り越えるときに生じる抵抗力を小さくすることが可能になり、蓋体の容器本体に対するスライド移動を円滑に行うことができる。
また、容器本体および蓋体に、上記規制部が各別に設けられているので、蓋体が開放端位置よりも一方向側にスライド移動してしまうのを確実に規制することができる。
【００１４】
また、前記係合突起および前記弾性係合片のうちの少なくとも一方は、前記規制部を兼ねていても良い。
【００１５】
この場合、前述の作用効果を奏功させつつ、部品点数の増加、形状の複雑化を抑制することができる。
【００１６】
また、前記蓋体の天壁部には、指先を引っ掛け可能な側壁部を有し、前記他方向側に開放されている指当て用凹部が形成されていても良い。
【００１７】
この場合、蓋体に指当て用凹部が形成されているので、蓋体をスライド操作し易く、内容物の取り出しをスムーズに行える。
特に、指当て用凹部は、他方向側に開放されるように形成されており、主に一方向側に側壁部が形成されている。そのため、側壁部に指先を引っ掛けると、蓋体を一方向側にスライド移動させる方向に自然と指先が誘導され易い。従って、内容物の取り出し操作を確実に行い易く、使い易い。
【発明の効果】
【００１８】
本発明に係る容器によれば、取出口が不用意に開放されるのを抑制しつつ、内容物を取り出すときに取出口を確実に開放させることができる。
【図面の簡単な説明】
【００１９】
【図１】本発明に係る一実施形態の容器の分解斜視図である。
【図２】図１に示す容器本体と蓋体とを組み合わせた状態の容器の縦断面図である。
【図３】図１に示す容器本体の上面図である。
【図４】図１に示す蓋体を構成する蓋体本体部の上面図である。
【図５】図１に示す容器本体と蓋体とを組み合わせた状態の上面図である。但し、蓋体の上カバーを省略した図である。
【図６】図３に示す状態から、蓋体を前方側にスライド移動させて充填口を開放させた状態の縦断面図である。
【図７】図６に示す状態の上面図である。但し、蓋体の上カバーを省略した図である。
【図８】図３に示す状態から、蓋体を後方側にスライド移動させて取出口を開放させた状態の縦断面図である。
【図９】図８に示す状態の上面図である。但し、蓋体の上カバーを省略した図である。
【発明を実施するための形態】
【００２０】
以下、本発明に係る容器の一実施形態について、図１から図９を参照して説明する。
本実施形態の容器１は、図１及び図２に示すように、粒状の内容物Ｍを収容する箱型の容器本体２と、この容器本体２の天板２０ｂ上に重ねられると共に容器本体２に対して径方向に沿ってスライド移動（往復移動）可能に組み合わされた蓋体３と、を備えている。
【００２１】
なお、図１は、容器１の分解斜視図である。図２は、容器本体２と蓋体３とが組み合わされた状態における容器１の縦断面図である。また、容器本体２の中心軸（容器軸）Ｏに直交する方向を径方向、中心軸Ｏを中心に周回する方向を周方向とする。また、中心軸Ｏに沿って容器本体２から蓋体３側に向かう方向を上側とし、蓋体３から容器本体２側に向かう方向を下側とする。
また、粒状の内容物Ｍとしては、例えば、タブレット状（錠剤状）の清涼菓子や薬剤、サプリメント等の他、丸薬、カプセル剤、粒ガム等である。
【００２２】
容器本体２は、図１から図３に示すように、有底筒状の皿状に形成された樹脂製或いは金属製などの下カバー１０と、この下カバー１０内に嵌め込まれる容器本体部２０と、で平面視略八角形状の箱型に構成されている。なお、図３は、容器本体２の上面図である。
下カバー１０は、平面視略八角形状の底壁部１０ａと、この底壁部１０ａの外周縁部から立ち上がった周壁部１０ｂと、で構成されている。
【００２３】
容器本体部２０は、周壁部１０ｂの内周に沿って配設され、周壁部１０ｂ内に嵌入される外壁部２０ａと、外壁部２０ａを上方から覆うと共に、外壁部２０ａよりも径方向外側に突出して下カバー１０の周壁部１０ｂの上端に接する天板２０ｂと、を備えている。
この天板２０ｂには、内容物Ｍを充填する際の充填口２１と、内容物Ｍを取り出す際の取出口２２と、が中心軸Ｏを挟んで向かい合うように形成されている。
なお、取出口２２が設けられた側を容器本体２の前方Ｌ１とし、充填口２１が設けられた側を容器本体２の後方Ｌ２とする。また、径方向に沿って前方Ｌ１と後方Ｌ２とを結ぶ方向をスライド方向Ｓとし、このスライド方向Ｓに蓋体３は往復移動（前方Ｌ１側又は後方Ｌ２側にスライド移動）するようになっている。
【００２４】
本実施形態の充填口２１は、平面視略三日月状に大きく開口するように形成されている。一方、取出口２２は平面視楕円状に形成されており、そのサイズは内容物Ｍを１個、２個程度同時に取り出せる程度の小サイズとされている。
【００２５】
また、外壁部２０ａの下端部には、充填口２１に対向するように平面視略三日月状の底板２０ｃが連設されており、上下方向（容器軸方向）に伸びる２本の平行な柱部２０ｄによって、底板２０ｃと天板２０ｂとが連結されている。これにより、充填口２１によって大きく開口された天板２０ｂは、上下に撓む等の不正変形が生じないように設計されている。この点に関しては、底板２０ｃも同様である。
このように構成されているため、充填口２１から充填された内容物Ｍは、底板２０ｃ上に載った状態で収容されたり、天板２０ｂと下カバー１０との間の空間内に収容されたりするようになっている。
【００２６】
また、天板２０ｂ上の中心部には、台座部２３が設けられている。この台座部２３は、平面視略直方体状に形成されており、スライド方向Ｓに沿って縦長に配設されている。
台座部２３の後方Ｌ２側は、後方Ｌ２に向けて高さが２段階に分けて段階的に小さくなるように形成されており、頂上部２３ａより１段低くなった部分が第１段差部２３ｂとされ、この第１段差部２３ｂよりもさらに１段低くなった部分が第２段差部２３ｃとされている。
【００２７】
これら第１段差部２３ｂと頂上部２３ａとの間の段差壁、第１段差部２３ｂと第２段差部２３ｃとの間の段差壁、第２段差部２３ｃの側壁は、蓋体３を前方Ｌ１側にスライド移動させて充填口２１を開放させたときに、該蓋体３の下面側に接触してそれ以上のスライド移動を規制する役割を果たしている。
特に、第１段差部２３ｂと頂上部２３ａとの間の段差壁は、後述する蓋体３のストッパ爪５６が押し当たる当接壁としての役割も果たしている。
【００２８】
また、天板２０ｂ上には、台座部２３を間に挟んで向かい合うように一対のガイド部２５が設けられている。これら一対のガイド部２５は、スライド方向Ｓに延在するように配設されていると共に、その上端部には全長に亘って鍵状の爪部２５ａが内向きに形成されている。なお、この一対のガイド部２５は、蓋体３をスライド自在に案内支持する役割を担っている。
【００２９】
蓋体３は、図１及び図２に示すように、有頂筒状の皿状に形成された樹脂製或いは金属製などの上カバー４０と、この上カバー４０内に嵌め込まれる蓋体本体部５０と、で平面視略八角形状に構成されており、上述したようにスライド方向Ｓにスライド移動可能とされている。なお、図４は、蓋体本体部５０の上面図である。
【００３０】
特に、蓋体３は、図５に示すように、充填口２１及び取出口２２を覆っているノーマル位置から、図６及び図７に示すようにスライド方向Ｓに沿って前方Ｌ１（他方向）側にスライド移動させられたときに充填口２１を開放させ、図８及び図９に示すように後方Ｌ２（一方向）側にスライド移動させられたときに取出口２２を開放させるようになっている。
【００３１】
なお、図５は、蓋体３と容器本体２とが組み合わされた状態を上方から見た図であり、蓋体３が充填口２１及び取出口２２を覆うノーマル位置にセットされている図である。図６は、図５に示す状態から蓋体３を前方Ｌ１側にスライド移動させて充填口２１を開放させた状態の容器１の縦断面図である。図７は、図６に示す容器１を上方から見た図である。図８は、図５に示す状態から蓋体３を後方Ｌ２側にスライド移動させて取出口２２を開放させた状態の容器１の縦断面図である。図９は、図８に示す容器１を上方から見た図である。但し、図５、図７及び図９では、蓋体３の上カバー４０の図示を省略している。
【００３２】
図１及び図２に示すように、上カバー４０は、平面視略八角形状の天壁部４０ａと、この天壁部４０ａの外周縁部から下側に垂下した周壁部４０ｂと、で構成されている。天壁部４０ａには、蓋体３をスライド移動させる際に、指先を押し当てる指当て用凹部４１が形成されている。この指当て用凹部４１は、前方Ｌ１側に開放されるように形成されており、指先を引っ掛け可能な側壁部４１ａが主に後方Ｌ２側に形成されている。
【００３３】
蓋体本体部５０は、図１、図２及び図４に示すように、プレート状であって、上カバー４０の周壁部４０ｂの内周に沿って外周縁部が形成されると共に、上カバー４０内に収まる厚みで平面視略八角形状に形成されている。
【００３４】
この蓋体本体部５０には、容器本体２側の一対のガイド部２５がそれぞれ入り込む一対のスライド開口５１がスライド方向Ｓに延在するように形成されている。このスライド開口５１内の側壁には、図５に示すように、ガイド部２５の爪部２５ａがスライド移動自在に引っ掛かる案内壁５１ａが形成されている。これにより、蓋体３は、図７及び図９に示すように、一対のガイド部２５に案内支持されながらスライド方向Ｓに沿ってスライド移動（前方Ｌ１移動或いは後方Ｌ２移動）するようになっている。
【００３５】
また、図１及び図４に示すように、一対のスライド開口５１の間における蓋体本体部５０の中央前方Ｌ１寄りには、平面視略正方形状の貫通孔５２が形成されており、この貫通孔５２の内周面には、後方Ｌ２側に向けて延びる片支持部５３が、貫通孔５２内に収まるように突設されている。
【００３６】
また図４に示すように、本実施形態では、蓋体３には、その平面視において中心軸Ｏに直交する直交面に沿ってスライド方向Ｓに直交する幅方向Ｗに延びる弾性係合片５４が延設されている。弾性係合片５４は、片支持部５３の後方Ｌ２側に、片支持部５３との間に隙間をあけた状態で配置されている。弾性係合片５４は、片支持部５３の幅方向Ｗの内側に位置する棒状体であり、弾性係合片５４の基端部は、片支持部５３の先端部の下面に連結され後方Ｌ２側に向けて延びる支持突起５５の先端部に連結されている。
【００３７】
また、蓋体本体部５０には、図１、図２および図４に示すように、弾性係合片５４に対して間隔を開けて向かい合うようにストッパ爪５６が形成されている。
このストッパ爪５６は、弾性係合片５４に向かって突出するように形成されていると共に、その先端部は下方に丸みを帯びて膨らんでいる。そして、蓋体３がノーマル位置にある場合には、図２に示すように台座部２３の頂上部２３ａと第１段差部２３ｂとの間の段差壁に当接している。これにより、蓋体３は、一定の抵抗力が付与された状態となっており、ノーマル位置から前方Ｌ１側にスライド移動し難く、ノーマル位置に位置決めされた形となっている。
【００３８】
しかしながら、蓋体３を上記抵抗力に抗する力でノーマル位置から前方Ｌ１側に向けてスライド移動させると、ストッパ爪５６は頂上部２３ａを乗り越えた後、図６及び図７に示すように、前方Ｌ１側にスライド移動するようになっている。
また、このストッパ爪５６は、蓋体３をノーマル位置から後方Ｌ２側にスライド移動させると、図８及び図９に示すように、該蓋体３に伴って移動するので、台座部２３の頂上部２３ａと第１段差部２３ｂとの間の段差壁から離反する。そして、後方Ｌ２側にスライド移動した蓋体３を、再び前方Ｌ１側にスライド移動させると、図５に示すように、ストッパ爪５６は再度段差壁に当接して、蓋体３をノーマル位置に位置決めさせるようになっている。
【００３９】
このように、ストッパ爪５６及び台座部２３は、ノーマル位置においてスライド方向Ｓに互いに係合することで、蓋体３の容器本体２に対する前方Ｌ１側に向けたスライド移動を規制して蓋体３をノーマル位置で位置決めさせる位置決め手段５７として機能する。しかも、本実施形態では、蓋体３をノーマル位置から前方Ｌ１側に移動させる際に、蓋体３に一定の抵抗力を付与しており、蓋体３をノーマル位置から前方Ｌ１側にスライド移動し難くさせている。
【００４０】
なお図６に示すように、蓋体本体部５０の下側は、充填口２１が開放された際、容器本体２側の台座部２３の第１段差部２３ｂと頂上部２３ａとの間の段差壁、第１段差部２３ｂと第２段差部２３ｃとの間の段差壁、第２段差部２３ｃの側壁に接触するように凹み形成されている。よって、蓋体３は、それ以上のスライド移動が規制される。
また図８および図９に示すように、容器本体２および蓋体３には、蓋体３が開放端位置に移動したときに、互いに当接して蓋体３の容器本体２に対する後方Ｌ２側へのスライド移動を規制する規制部６０、６１が各別に設けられている。本実施形態では、台座部２３が、容器本体２側の規制部６０を兼ねるとともに、弾性係合片５４が、蓋体３側の規制部６１を兼ねており、台座部２３（規制部６０）において前側を向く平坦な当接壁２３ｄと、弾性係合片５４（規制部６１）と、が互いに当接することで、スライド移動が規制される。
【００４１】
ここで、図２および図３に示すように、本実施形態では、容器本体２には、弾性係合片５４が容器本体２に対して後方Ｌ２側へスライド移動するときに弾性係合片５４の先端部に乗り越えられる係合突起５８、５９が配設されている。係合突起５８、５９は、スライド方向Ｓに間隔をあけて複数配設されており、図示の例では、係合突起５８、５９として、前方Ｌ１側に位置し、蓋体３がノーマル位置にあるときに蓋体３の容器本体２に対する後方Ｌ２側へのスライド移動を規制する第１係合突起５８と、後方Ｌ２側に位置し、蓋体３が開放端位置にあるときに蓋体３の容器本体２に対する前方Ｌ１側へのスライド移動を規制する第２係合突起５９と、を備えている。
【００４２】
これらの係合突起５８、５９は、容器本体２の天板２０ｂ上から上方に向けて突出するとともに、幅方向Ｗに沿って延びる同形同大の板状体とされ、両係合突起５８、５９の幅方向Ｗの位置は、互いに一致している。係合突起５８、５９の上端は、片支持部５３の下面よりも下側に位置しており、第１係合突起５８は、スライド方向Ｓで弾性係合片５４の先端部に対向している。
【００４３】
次に、以上のように構成された容器１の作用について説明する。
まず、容器１に内容物Ｍを収容する場合について説明する。
この場合には、まず、蓋体３を図５に示すノーマル位置から、図６及び図７に示すように前方Ｌ１側にスライド移動させる。この際、ストッパ爪５６が台座部２３の頂上部２３ａと第１段差部２３ｂとの間の段差壁に当接しているので、一定の抵抗力を感じる。よって、この抵抗力に抗する力でスライド移動させる。これにより、ストッパ爪５６が頂上部２３ａを乗り越えるように、蓋体３を前方Ｌ１側にスライド移動させることができ、充填口２１を開放させることができる。
【００４４】
なお、ストッパ爪５６が頂上部２３ａを乗り越える際に、クリック感を感じることができる。従って、蓋体３をノーマル位置から前方Ｌ１側に移動させたことを触覚により明確に感じることができる。
また、充填口２１が開放された後、蓋体３は容器本体２側の台座部２３の第１段差部２３ｂと頂上部２３ａとの間の段差壁、第１段差部２３ｂと第２段差部２３ｃとの間の段差壁、第２段差部２３ｃの側壁に接触する。そのため、蓋体３は、それ以上のスライド移動が規制される。
【００４５】
そして、充填口２１が開放された後、この充填口２１を通じて内容物Ｍを充填でき、容器本体２への収容を行うことができる。
内容物Ｍの充填終了後、蓋体３を後方Ｌ２側にスライド移動させて、図５に示すようにノーマル位置に戻す。この際、ストッパ爪５６が、再度頂上部２３ａを乗り越えた後、頂上部２３ａと第１段差部２３ｂとの間の段差壁に当接した状態となる。
なお、ストッパ爪５６が頂上部２３ａを乗り越える際に、再度クリック感を感じることができる。従って、蓋体３がノーマル位置に戻ったことを触覚として明確に感じることができる。
【００４６】
ここで、蓋体３がノーマル位置にある場合には、弾性係合片５４と第１係合突起５８とが互いに係合することで、蓋体３の容器本体２に対する後方Ｌ２側へのスライド移動が規制される。これにより、取出口２２が不用意に開放されるのを抑制することができる。
【００４７】
次に、内容物Ｍが収容された容器本体２から、内容物Ｍを取り出す場合について説明する。
この場合には、指当て用凹部４１の側壁部４１ａに指先を引っ掛けながら、蓋体３をノーマル位置から後方Ｌ２側にスライド移動させる。これにより、図８及び図９に示すように、取出口２２を開放させることができる。よって、この取出口２２を通じて収容されている内容物Ｍを取り出すことができる。
【００４８】
ところで、内容物Ｍの取り出しを行うにあたって、蓋体３を容器本体２に対して後方Ｌ２側にスライド移動させると、まず、弾性係合片５４および第１係合突起５８が互いに当接し、その後、弾性係合片５４がスライド方向Ｓに弾性変形し、弾性係合片５４の先端部および第１係合突起５８が互いに乗り越えることとなる。その後、さらにスライド移動を継続すると、弾性係合片５４が弾性変形しながら、弾性係合片５４の先端部と第２係合突起５９とが互いに乗り越え、図８および図９に示すように、取出口２２が開放される。この際、蓋体３が開放端位置までスライド移動されると、規制部６０、６１によってそれ以上のスライド移動が規制されることとなる。
【００４９】
ここで、弾性係合片５４の先端部および係合突起５８、５９が互いに乗り越えるときに、弾性係合片５４が弾性変形するので、聴覚的および触覚的に乗り超えを認識することができる。したがって、蓋体３の容器本体２に対するスライド移動を、途中でやめることなく、取出口２２が開放されるまで確実に行うことが可能になり、取出口２２を確実に開放させることができる。
また、弾性係合片５４が、幅方向Ｗに向けて延設されているので、弾性係合片５４の先端部がスライド方向Ｓに弾性変形しても、容器本体２および蓋体３が、上下方向に互いに離間してしまうことが抑えられる。
【００５０】
さらに、開放された取出口２２から内容物Ｍを取り出すときには、前述のように、弾性係合片５４の先端部および第２係合突起５９が互いに乗り越えていることから、弾性係合片５４および第２係合突起５９が互いに係合することで、蓋体３の容器本体２に対するスライド方向Ｓの前方Ｌ１側へのスライド移動が規制されることとなる。したがって、蓋体３が不用意にスライド移動して取出口２２を塞いでしまうことが抑制され、取出口２２が開放された状態を確保することができる。
【００５１】
以上説明したように、本実施形態に係る容器１によれば、取出口２２が不用意に開放されるのを抑制しつつ、内容物Ｍを取り出すときに取出口２２を確実に開放させることができる。
【００５２】
また、係合突起５８、５９が、スライド方向Ｓに間隔をあけて複数配設されているので、本実施形態のように、係合突起５８、５９として、第１係合突起５８と、第２係合突起５９と、を備えることで、前述の作用効果を確実に奏功させることができる。またこのように、第１係合突起５８と第２係合突起５９とを備えることで、例えば、スライド方向Ｓに長い１つの係合突起を備える場合に比べて、係合突起５８、５９のスライド方向Ｓに沿った大きさを小さくすることが可能になり、例えば、弾性係合片５４だけでなく係合突起５８、５９も弾性変形させることができる。したがって、弾性係合片５４が係合突起５８、５９を乗り越えるときに生じる抵抗力を小さくすることが可能になり、蓋体３の容器本体２に対するスライド移動を円滑に行うことができる。
【００５３】
また、容器本体２および蓋体３に、上記規制部６０、６１が各別に設けられているので、蓋体３が開放端位置よりも後方Ｌ２側にスライド移動してしまうのを確実に規制することができる。
また、弾性係合片５４が、規制部６１を兼ねているので、前述の作用効果を奏功させつつ、部品点数の増加、形状の複雑化を抑制することができる。
【００５４】
また、蓋体３がノーマル位置にある場合、ストッパ爪５６は台座部２３の頂上部２３ａと第１段差部２３ｂとの段差壁に当接している。そのため、内容物Ｍの取り出しを行うために、蓋体３をノーマル位置からスライド移動させるときに、誤って充填口２１が開放されてしまう前方Ｌ１側にスライド移動させようとすると、一定の抵抗力を感じることができる。従って、蓋体３のスライド移動方向の間違いに容易に気づくことができる。よって、内容物Ｍの取り出し操作を確実に行うことができ、使い易さをより向上することができる。つまり、弾性係合片５４と係合突起５８、５９との乗り越え時に生じる抵抗力よりも、ストッパ爪５６と台座部２３（頂上部２３ａ）との乗り越え時に生じる抵抗力の方が大きくなるように設計されている。
【００５５】
また、蓋体３の上カバー４０には指当て用凹部４１が形成されているので、蓋体３をスライド操作し易く、内容物Ｍの取り出し操作をスムーズに行える。しかも、この指当て用凹部４１は、前方Ｌ１側に開放されるように形成されており、主に後方Ｌ２側に側壁部４１ａが形成されている。そのため、側壁部４１ａに指先を引っ掛けると、蓋体３をノーマル位置から後方Ｌ２側にスライド移動させる方向に自然と指先が誘導され易い。従って、この点においても、内容物Ｍの取り出しを行う際に蓋体３のスライド方向Ｓを間違え難い。よって、使い易さをより向上することができる。
【００５６】
なお、本発明の技術的範囲は上記実施形態に限定されるものではなく、本発明の趣旨を逸脱しない範囲において種々の変更を加えることが可能である。
例えば、上記実施形態では、全体を平面視八角形状の形状としたが、この形状に限定されるものではなく、自由に設計して構わない。
【００５７】
また、上記実施形態では、天板２０ｂに充填口２１が形成されているものとしたが充填口２１はなくても良い。この場合、蓋体３がノーマル位置にあるときに、蓋体３が容器本体２に対して前方Ｌ１側にスライド移動不能な構成としていても良い。
さらに、上記実施形態では、蓋体３の上カバー４０に指当て用凹部４１が形成されているものとしたが、指当て用凹部４１はなくても良い。
【００５８】
また、上記実施形態では、弾性係合片５４が幅方向Ｗに向けて延設されているものとしたが、これに限られるものではなく、上記直交面に沿ってスライド方向Ｓに交差する方向に向けて延設されていれば良い。
さらに、上記実施形態では、弾性係合片５４が規制部６１を兼ねているものとしたが、これに限られるものではない。例えば、係合突起が規制部を兼ねていても良く、弾性係合片および係合突起がいずれも規制部を兼ねていなくても良い。さらにまた、本発明の参考例では、規制部６０、６１はなくても良い。
【００５９】
また、上記実施形態では、係合突起５８、５９が、スライド方向Ｓに間隔をあけて２つ配設されているものとしたが、これに限られるものではない。例えば、３つ以上の係合突起が配設されていても良く、また、本発明の参考例では、スライド方向Ｓに延びる１つの係合突起が配設されていても良い。
さらに、上記実施形態では、係合突起５８、５９が、容器本体２の天板２０ｂ上から上方に向けて突出しているものとしたが、これに限られるものではない。例えば、容器本体２上に、幅方向Ｗに向けて延設され、幅方向Ｗの一端部が容器本体２に連結された構成であっても良い。
【００６０】
また、上記実施形態では、容器本体２に係合突起５８、５９が設けられ、蓋体３に弾性係合片５４が設けられているものとしたが、これに限られるものではない。例えば、容器本体２に弾性係合片が設けられ、蓋体３に係合突起が設けられていても良い。
【００６１】
その他、本発明の趣旨に逸脱しない範囲で、上記実施形態における構成要素を周知の構成要素に置き換えることは適宜可能であり、また、上記した変形例を適宜組み合わせてもよい。
【符号の説明】
【００６２】
Ｌ１…前方（スライド方向の他方向）
Ｌ２…後方（スライド方向の一方向）
Ｍ…内容物
Ｓ…スライド方向
Ｗ…幅方向（直交面に沿ってスライド方向に交差する方向）
１…容器
２…容器本体
３…蓋体
２０ｂ…天板
２２…取出口
４１…指当て用凹部
４１ａ…側壁部
５４…弾性係合片
５８、５９…係合突起
６０、６１…規制部
【図１】
0005380260.tif 000002
【図２】
0005380260.tif 000003
【図３】
0005380260.tif 000004
【図４】
0005380260.tif 000005
【図５】
0005380260.tif 000006
【図６】
0005380260.tif 000007
【図７】
0005380260.tif 000008
【図８】
0005380260.tif 000009
【図９】
0005380260.tif 000010